(57)【要約】      （修正有）【課題】収容スペースの区画等のために使用する可動壁を利用して、ストッパとして機能する突出部を任意に形成することができ、製品点数を増大させずに、突出部を要／不要とする使用者の好みに対応できる薬剤収容ケースを提供する。【解決手段】薬剤収納ケースは、上方を開口させた箱型に形成されるケース本体２０と、ケース本体と別体に形成され、ケース本体の一対の側壁部の内周側における対向する位置に設けられた区画用縦溝２３ａに挿入されてケース本体の収容スペースを区画する平板状の可動壁１０と、を備えて、調剤台の棚に載置される。一対の側壁部の内周側における、調剤台の棚に載置された際に奥側となる後壁部近傍の対向する位置に、突出部形成用縦溝５が形成され、突出部形成用縦溝が、可動壁１０を挿入させた際に、可動壁の上端側をケース本体から上方に突出させて突出部を形成するように、可動壁の上下方向の寸法より短い長さに形成される。【選択図】図３
0003164924.tif 000002
【実用新案登録請求の範囲】
【請求項１】
底壁部と、前記底壁部の左右両端から上方に延びる一対の側壁部と、前記一対の側壁部を前側で連結する前壁部と、後側で連結する後壁部とを備えて、上方を開口させた箱型に形成されるケース本体と、
前記ケース本体と別体に形成され、前記一対の側壁部の内周側における対向する位置に設けられた区画用縦溝に挿入されて前記ケース本体の収容スペースを区画する平板状の可動壁と、
を備えて、調剤台の棚に載置される薬剤収納ケースであって、
前記一対の側壁部の内周側における、調剤台の棚に載置された際に奥側となる前記後壁部近傍の対向する位置に、突出部形成用縦溝が形成され、
前記突出部形成用縦溝が、前記可動壁を挿入させた際に、前記可動壁の上端側を前記ケース本体から上方に突出させて突出部を形成するように、前記可動壁の上下方向の寸法より短い長さに形成される
ことを特徴とする薬剤収納ケース。
【請求項２】
前記可動壁が、上下方向の一端側における左右の角部を切り欠かれて形成され、前記一端側を下に向けて前記突出部形成用縦溝に挿入された際に、前記ケース本体から突出しないように形成されることを特徴とする、請求項１に記載の薬剤収納ケース。
【考案の詳細な説明】
【技術分野】
【０００１】
本考案は薬局における調剤室において、ＰＴＰ包装された錠剤等のシートやアンプル剤等の薬剤を収納して、調剤台の棚に収容される薬剤収納ケースに関する。
【背景技術】
【０００２】
薬剤収納ケースは、調剤台の棚に引き出し可能に多数並べて配置されるもので、調剤時に必要な薬剤のケースを引き出して使用する。図５に示す従来の薬剤収納ケース５０は、底壁部と、底壁部の左右両端から上方に延びる一対の側壁部と、一対の側壁部を前側で連結する前壁部と、後側で連結する後壁部とを備えて、上方を開口させた略箱形に形成されるもので、調剤台の棚に載置された際に奥側となる後壁部には、上方に突出した突出部５７が設けられていた（特許文献１）。この突出部５７は、薬剤収納ケースが棚から引き出される際に上方の棚板に係合して、ケースが棚から外れて落下するのを防止するストッパとして機能するものである。
【０００３】
また、従来の薬剤収納ケース５０では、ケース本体と別体の可動壁５３が付属されることがあった（特許文献２）。可動壁５３は、ケース本体の側壁部の内周側における対向する位置に複数設けられる区画用縦溝のうちの適当な位置のものに挿入されて、ケース本体の収容スペースを区画したり、錠剤等のシートを前出し（取り出しやすくするために、シートをケースの前側に配置させること）したりと、状況に応じて任意に使用されるものであった。
【先行技術文献】
【特許文献】
【０００４】
【特許文献１】特開平１１−９６６３号公報
【特許文献２】特許４４０９５１０号公報
【考案の概要】
【考案が解決しようとする課題】
【０００５】
このような薬剤収納ケースの使用者の中には、ストッパとして機能する後壁部の突出部を邪魔であるとして嫌う者が少なからずいるが、製造業者にとって、使用者である顧客の要望に応えたい半面、突出部を備えた型と備えない型の両方を商品として用意するのは、製品数を増大させる点で好ましくなかった。
【０００６】
そこで本考案は、従来から収容スペースの区画等のために使用されていた可動壁を利用して、ストッパとしての突出部を任意に形成することができ、製品点数を増大させずに、突出部を要／不要とする使用者の好みに対応できる薬剤収納ケースを提供することを目的とする。
【課題を解決するための手段】
【０００７】
本考案に係る薬剤収納ケースは、底壁部と、底壁部の左右両端から上方に延びる一対の側壁部と、一対の側壁部を前側で連結する前壁部と、後側で連結する後壁部とを備えて、上方を開口させた箱型に形成されるケース本体と、ケース本体と別体に形成され、一対の側壁部の内周側における対向する位置に設けられた区画用縦溝に挿入されてケース本体の収容スペースを区画する平板状の可動壁と、を備えて、調剤台の棚に載置される薬剤収納ケースであって、一対の側壁部の内周側における、調剤台の棚に載置された際に奥側となる後壁部近傍の対向する位置に、突出部形成用縦溝が形成され、突出部形成用縦溝が、可動壁を挿入させた際に、可動壁の上端側を前記ケース本体から上方に突出させて突出部を形成するように、可動壁の上下方向の寸法より短い長さに形成されることを特徴とする。
【０００８】
これによれば、ケース本体における収容スペースを区画する際に使用される区画用縦溝に加えて、一対の側壁部の内周側における後壁部近傍の対向する位置に、可動壁の上下方向の寸法より長さの短い突出部形成用縦溝を設けるだけで、可動壁の上端側がケース本体から上方に突出して、ストッパとして機能する突出部を形成することができる。突出部形成のための可動壁の使用は任意であるから、突出部が不要な場合は、突出部形成用縦溝に挿入しなければよい。したがって、本考案に係る薬剤収納ケースでは、従来から収容スペースの区画等のために使用されていた可動壁を利用して使用者がストッパとしての突出部を任意に形成することができ、ケース本体の型を一つとして、製品点数を増大させることなく突出部を要／不要とする使用者の好みに対応することができる。
【０００９】
上述の薬剤収容ケースにおいては、可動壁が、上下方向の一端側における左右の角部を切り欠かれて形成され、この一端側を下に向けて突出部形成用縦溝に挿入された際に、ケース本体から突出しないように形成されることが望ましい。この構成によれば、ケース本体の収容スペースの区画やストッパとしての突出部が不要な場合に、可動壁を左右の角部を切り欠かれた一端側を下に向けて突出部形成用縦溝に挿入することにより、可動壁をケース本体の後端側にすっきりと収納することができ、不使用時の可動壁を別の場所に収納したために収納場所を忘れて紛失してしまうようなことがなく、使用したいときにすぐに突出部形成用縦溝から取り出して使用することができる。また、上下方向の一端側における左右の角部を切り欠かれて形成されているので、この一端側を上側に配置させて可動壁を突出部形成用縦溝に挿入し、ストッパとしての突出部を形成させた場合でも、突出部に尖った角部がないため、可動壁が単なる矩形に形成される場合に比べ、尖った角部により周囲の物や使用者を傷つけることがない。
【考案の効果】
【００１０】
本考案に係る薬剤収納ケースは、従来から収容スペースの区画等のために使用されてきた可動壁を利用して、ストッパとしての突出部を任意に形成することができ、製品点数を増大させずに、突出部を要／不要とする使用者の好みに対応できる。
【図面の簡単な説明】
【００１１】
【図１】本考案の実施形態である薬剤収納ケースの斜視図である。
【図２】図１の薬剤収納ケースにおいて、可動壁が突出部形成用縦溝に挿入されて突出部が形成された状態を示す斜視図である。
【図３】図１の薬剤収納ケースにおいて、可動壁が区画用縦溝に挿入された状態を示す斜視図である。
【図４】図１の薬剤収納ケースにおいて、可動壁が、左右の角部を切り欠かれた一端側を下にして突出部形成用縦溝に挿入された状態を示す斜視図である。
【図５】従来の薬剤収納ケースを示す斜視図である。
【考案を実施するための形態】
【００１２】
以下に本考案の一実施形態である薬剤収納ケースＫについて、図面に基づいて説明する。
【００１３】
図１に示す薬剤収納ケースＫ（以下、単にケースＫということがある）は、主にＰＴＰ（Press through Package）包装された錠剤やカプセル剤のシートＰ（図３参照）を収容するために使用されるもので、ケース本体２０と、ケース本体２０と別体に形成される可動壁１０と、を備えて構成される。
【００１４】
ケース本体２０は、透明な合成樹脂により上方を開口させた略箱型に形成されるもので、底壁部２１と、底壁部２１の左右両端から上方に延びる一対の側壁部２３，２３と、側壁部２３，２３を前側で連結する前壁部２５と、後側で連結する後壁部２７とを備える。
【００１５】
底壁部２１は、略長方形に形成され、本実施形態では、ケース本体２０の前端側において、上方に突出するように形成される仕切部１３を備える。仕切部１３は、ケース本体２０の収容スペース１１を、錠剤等のシートＰを重ねて収容する後方の収容本体部１５と、シートＰから必要個数の錠剤を切り取った残りの端数の錠剤Ｂを収容する前方の端数収容部１８とに区画している（図３参照）。
【００１６】
側壁部２３，２３は、後端側の高さを、後壁部２７と同じ高さとなるように形成される一方、端数収納部１８の左右両側において前壁部２５に向かって斜めに切り欠かれ、前壁部２５が後壁部２７に比べて低くなるように形成されている。収容本体部１５において、側壁部２３，２３の内周側における対向する位置には、可動壁１０が挿入される対の区画用縦溝２３ａが等間隔に複数形成されている。本実施形態では、各区画用縦溝２３ａは、側壁部２３，２３の上下方向の全長に亘って形成されている。この区画用縦溝２３ａは、ケース本体２０の収容本体部１５を区画したり、錠剤等のシートＰの前出しを行うために可動壁１０が挿入される溝である。また、側壁部２３，２３の内周側における、後壁部２７近傍の位置には、可動壁１０を挿入させる一対の突出部形成用縦溝５が形成される。突出部形成用縦溝５は、長さＬ１を、可動壁１０の上下方向の寸法Ｌ２より短く形成され、可動壁１０が挿入された際に、可動壁１０の上端側１０ａが、ケース本体２０から上方に突出するように設定されている。具体的には、後述するように、可動壁１０の上下方向における寸法Ｌ２が、収容本体部１５における側壁部２３の高さＬ３（図３参照）と略同じとされる一方、本実施形態の突出部形成用縦溝５は、側壁部２３，２３の上端から、底壁部２１に届かない位置までの範囲に形成されている。前壁部２５には、薬剤の名前を記載した名札が挿入される名札挿入部２５ａが形成されている。
【００１７】
可動壁１０は、略矩形の平板状に形成されるもので、左右方向の幅寸法を、上述した区画用縦溝２３ａ及び突出部形成用縦溝５の各々に嵌合する寸法とし、上下方向の寸法Ｌ２を、上述したように、ケース本体２０の突出部形成用縦溝５の長さＬ１より長く形成されている。本実施形態では、この寸法Ｌ２は、収容本体部１５における側壁部２３の高さＬ３（すなわち、区画用縦溝２３ａの長さ）と略同じとしている。また、可動壁１０の上下方向における一端側（図１における上端側）１０ａは、左右の角部を切り欠かれて、残りの部分からタブ状に突出するような形状に形成されている。本実施形態では、可動壁１０が、左右の角部を切り欠かれた一端側１０ａを下に向けて突出部形成用縦溝５に挿入された際に、ケース本体２０から突出しないように、突出部形成用縦溝５に嵌合する切り欠き後の可動壁１０の左右の辺１０ｂ，１０ｃの長さＬ４が、突出部形成用縦溝５の長さＬ１以下になるように一端側１０ａが切り欠かれている。
【００１８】
以上のように構成された薬剤収納ケースＫを使用する際には、可動壁１０は、従来同様、任意の位置の区画用縦溝２３ａに挿入されて、ケース本体２０の収容本体部１５を区画したり、図３に示すように、錠剤等のシートＰの後端の位置を規制してシートＰを前出しするのに使用可能である。これに加えて、可動壁１０を、調剤台の棚から引き出した際に、ケースＫが棚から外れて落下するのを防止するストッパとして機能させたい場合には、図２に示すように、可動壁１０を、左右の角部が切り欠かれた一端側１０ａを上方に向けた状態で突出部形成用縦溝５に挿入する。突出部形成用縦溝５の長さＬ１は、可動壁１０を挿入させた際に、可動壁１０の上端側１０ａがケース本体２０から上方に突出するように、可動壁１０の上下方向の寸法Ｌ２より短く形成されているため、可動壁１０の上端側１０ａがケース本体２０から上方に突出して突出部７を形成し、突出部７をストッパとして機能させることができる。勿論、複数の可動壁１０を使用して、突出部７を形成しつつ収容本体部１５を区画してもよい。
【００１９】
また、可動壁１０を使用しない場合、すなわち、ストッパとしての突出部７も、収容本体部１５の区画等も必要ない場合には、図４に示すように、可動壁１０を、左右の角部を切り欠かれた一端側１０ａを下に向けた状態で、突出部形成用縦溝５に挿入することができる。こうすれば、可動壁１０は、上下方向の寸法Ｌ２をケース本体２０の収容本体部１５における側壁部２３の高さＬ３と略等しく設定される一方、突出部形成用縦溝５と嵌合する切り欠き後の左右の辺１０ｂ，１０ｃの長さＬ４が、突出部形成用縦溝５の長さＬ１以下になるように形成されているため、ケース本体２０から突出することなくケース本体２０の後壁部２７近傍に収納される。
【００２０】
上述した薬剤収納ケースＫの構成では、収容スペース１１を区画する際に使用される区画用縦溝２３ａに加えて、ケース本体２０の側壁部２３，２３の内周側における後壁部２７近傍の対向する位置に、可動壁１０の上下方向の寸法Ｌ２より長さの短い突出部形成用縦溝５を設けるだけで、可動壁１０の上端側１０ａがケース本体２０から上方に突出し、ストッパとして機能する突出部７を形成することができる。突出部７形成のための可動壁１０の使用は任意であるから、突出部７が不要な場合には、可動壁１０を使用しないか、あるいは、前述したように、左右の角部を切り欠かれた一端側１０ａを下に向けて、突出部形成用縦溝５に収納すればよい。したがって、実施形態の薬剤収容ケースＫでは、従来から収容スペースの区画等のために使用されていた可動壁１０を利用して使用者がストッパとして機能する突出部７を任意に形成することができ、ケース本体の型を一つにして、製品点数を増大させることなく突出部７を要／不要とする顧客の好みに対応することができる。
【００２１】
また、実施形態の薬剤収納ケースＫでは、可動壁１０が、上下方向の一端側１０ａにおける左右の角部を切り欠かれて、この一端側１０ａを下に向けて突出部形成用縦溝５に挿入された際に、ケース本体２０から突出しないように形成されている。これによれば、収容本体部１５の区画やストッパとしての突出部７が不要な場合に、可動壁１０を左右の角部を切り欠かれた一端側１０ａを下に向けて突出部形成用縦溝５に挿入することにより、可動壁１０をケース本体２０の後端側にすっきりと収納することができ、また、不使用時の可動壁１０を別の場所に収納したために収納場所を忘れて紛失してしまうようなことがなく、使用したいときにすぐに突出部形成用縦溝５から取り出して使用することができる。また、上下方向の一端側１０ａが左右の角部を切り欠かれて形成されているので、図２に示すように、この一端側１０ａを上側に配置させて可動壁１０を突出部形成用縦溝５に挿入し、突出部７を形成させた場合でも、突出部７に尖った角部がないため、可動壁が単なる矩形に形成される場合に比べ、尖った角部により周囲の物や使用者を傷つけることがない。
【００２２】
なお、本実施形態では、ケース本体２０を、側壁部２３，２３の前端側が斜めに切り欠かれて、調剤台の棚から引き出さない状態でも使用者が収容スペース１１内に手を差し入れられるような形状のものとして説明したが、ケース本体２０の形状はこれに限られず、例えば図５に示すような、前壁部と後壁部が略同じ高さに形成されるタイプの薬剤収納ケースに本考案を適用してもよい。
【００２３】
また本考案は、図５に示すような、ケース本体２０の収容スペース１１が、収容本体部１５と、端数収納部１８とに区画されていないタイプの薬剤収納ケースに適用されてもよい。
【符号の説明】
【００２４】
５  ・・・  突出部形成用縦溝
７  ・・・  突出部
１０  ・・・  可動壁
１０ａ  ・・・  上端側
１１  ・・・  収容スペース
２０  ・・・  ケース本体
２１  ・・・  底壁部
２３  ・・・  側壁部
２３ａ  ・・・  区画用縦溝
２５  ・・・  前壁部
２７  ・・・  後壁部
Ｋ  ・・・  薬剤収納ケース
【図１】
0003164924.tif 000003
【図２】
0003164924.tif 000004
【図３】
0003164924.tif 000005
【図４】
0003164924.tif 000006
【図５】
0003164924.tif 000007